(57)【特許請求の範囲】
【請求項１】
主柱と横架材の接合構造であって、前記主柱の反対向する面に渡って水平方向に貫通する上方と下方一対の貫穴の一部が直角方向に互いに交差してなり、前記上方と下方一対の貫穴に上方横架材と下方横架材をそれぞれ貫通させて前記柱に固定する木造軸組における柱と横架材の接合構造において、
前記横架材は上面が長手方向に水平をなし且つ下面が長手方向に傾斜してなり、下方の貫穴を貫通する下方横架材の水平面には上方の貫穴を貫通する上方横架材との交差部に当たる部分に切欠部を形成し、該下方横架材の切欠部と上方貫穴を貫通する間隙部に上方横架材を貫通させて上下の横架材が前記交差部において相互に係合するように構成されると共に上方横架材の傾斜面と下方横架材の切欠部との間ならびに下方横架材と下方貫穴との隙間に横架材の挿入方向と逆方向に逆止楔を打ち込んで上方及び下方の横架材を互いに柱に固定してなることを特徴とする木造軸組における柱と横架材の接合構造。
【請求項２】
前記木造軸組における柱と横架材の接合構造において、前記上方横架材の傾斜面側から下方横架材の切欠部の底部に向けて開口する楔係止溝を上方横架材の傾斜面の勾配と逆勾配になるように設けると共に前記下方横架材の傾斜面から下方の貫穴の底部に向けて開口する楔係止溝を下方横架材の傾斜面の勾配と逆勾配になるように設けておき、前記楔係止溝の開口部から横架材の挿入方向と逆方向に逆止楔をそれぞれ打ち込んで上方及び下方の横架材を互いに柱に固定してなることを特徴とする請求項１記載の木造軸組における柱と横架材の接合構造。
【請求項３】
前記横架材の傾斜面の水平方向に対する勾配が０．２〜５％であり、前記楔係止溝の上面の水平方向に対する勾配が２〜８％であって該両方の勾配は互いに逆勾配となることを特徴とする請求項２記載の木造軸組における柱と横架材の接合構造。
【請求項４】
主柱と横架材の接合構造であって、前記主柱の反対向する面に渡って水平方向に貫通する下方の貫穴を横架材の縦方向の長さよりもやや大きく設け且つ上方と下方一対の貫穴の一部が直角方向に互いに交差してなり、前記上方と下方一対の貫穴に上方横架材と下方横架材をそれぞれ貫通させて前記柱に固定する木造軸組における柱と横架材の接合構造において、
前記横架材は上面が長手方向に水平をなし且つ下面が長手方向に傾斜してなり、下方の貫穴を貫通する下方横架材の水平面には上方の貫穴を貫通する上方横架材との交差部に当たる部分に切欠部を形成し、該下方横架材の切欠部と上方貫穴を貫通する間隙部に上方横架材を貫通させて上下の横架材が前記交差部において相互に係合するように構成され、前記下方の貫穴の底部に垂直に柱中ホゾを設けるとともに該貫穴に挿通される下方横架材下面の前記柱中ホゾに対応する箇所に設けられたホゾ穴に前記柱中ホゾを嵌合させると共に上方横架材の傾斜面と下方横架材の切欠部との間に上方横架材の挿入方向と逆方向に逆止楔を打ち込んで上方及び下方の横架材を互いに柱に固定してなることを特徴とする木造軸組における柱と横架材の接合構造。
【請求項５】
前記木造軸組における柱と横架材の接合構造において、前記上方横架材の傾斜面側から下方横架材の切欠部の底部に向けて開口する楔係止溝を上方横架材の傾斜面の勾配と逆勾配になるように設けておき、前記楔係止溝の開口部から逆止楔を打ち込んで上方及び下方の横架材を互いに柱に固定してなることを特徴とする請求項４記載の木造軸組における柱と横架材の接合構造。
【請求項６】
前記横架材の傾斜面の水平方向に対する勾配が０．２〜５％であり、前記楔係止溝の上面の水平方向に対する勾配が２〜８％であって該両方の勾配は互いに逆勾配となることを特徴とする請求項５記載の木造軸組における柱と横架材の接合構造。
【請求項７】
主柱と横架材の接合構造であって、前記主柱の反対向する面に渡って水平方向に貫通する下方の貫穴を横架材の縦方向の長さよりもやや大きく設け且つ上方と下方一対の貫穴の一部が直角方向に互いに交差してなり、前記上方と下方一対の貫穴に上方横架材と下方横架材をそれぞれ貫通させて前記柱に固定する木造軸組における柱と横架材の接合構造において、
前記横架材は上面が長手方向に水平をなし且つ下面が長手方向に傾斜してなり、下方の貫穴を貫通する下方横架材の水平面には上方の貫穴を貫通する上方横架材との交差部に当たる部分に切欠部を形成し、該下方横架材の切欠部と上方貫穴を貫通する間隙部に上方横架材を貫通させて上下の横架材が前記交差部において相互に係合するように構成され、前記下方の貫穴の底部に垂直に柱中ホゾを設けるとともに該貫穴に挿通される下方横架材下面の前記柱中ホゾに対応する箇所に設けられたホゾ穴に前記柱中ホゾを嵌合させると共に上方横架材の下側の下方横架材との交差部に当たる部分に楔貫通穴を設け、該楔貫通穴と上方貫穴を貫通する間隙部に上方横架材の両側方向から一対の楔をそれぞれ楔貫通穴の中央部に向けて打ち込んで上方及び下方の横架材を互いに柱に固定してなることを特徴とする木造軸組における柱と横架材の接合構造。
【請求項８】
前記柱中ホゾ及びホゾ穴は平面視にて多角形からなることを特徴とする請求項４又は７の何れかに記載の木造軸組における柱と横架材の接合構造。
【請求項９】
主柱と横架材の接合構造であって、前記主柱の反対向する面に渡って水平方向に貫通する上方と下方一対の貫穴の一部が直角方向に互いに交差してなり、前記上方と下方一対の貫穴に上方横架材と下方横架材をそれぞれ貫通させて前記柱に固定する木造軸組における柱と横架材の接合構造において、
前記横架材は上面が長手方向に水平をなし且つ下面が長手方向に傾斜してなり、下方の貫穴を貫通する下方横架材の水平面には上方の貫穴を貫通する上方横架材との交差部に当たる部分に切欠部を形成し、下方横架材の切欠部と上方貫穴を貫通する間隙部に上方横架材を貫通させて上下の横架材が前記交差部において相互に係合するように構成され、前記上方の横架材と柱との交差部に横架材と柱に連通する入れ戻し穴を設け、前記入れ戻し穴に寄せ留部材を圧入して前記横架材と柱を固定してなることを特徴とする木造軸組における柱と横架材の接合構造。
【請求項１０】
前記主柱は截頭円錐形又は截頭角錐形に加工した木形加工材を建物の中央部に基礎から屋根まで貫き設けてなることを特徴とする請求項１、４、７又は９の何れかに記載の木造軸組における柱と横架材の接合構造。
【発明の詳細な説明】
【技術分野】
【０００１】
本発明は、木造軸組の接合構造に関し、より詳細には柱を貫通する直角方向に互いに交差する貫穴に切欠部を設けた横架材を貫通させて柱に固定する木造軸組において、下面が長手方向に傾斜面を形成してなる横架材を用いてなる柱と横架材との接合構造に関するものである。
【背景技術】
【０００２】
近年、木造家屋においては一辺が１６ｃｍに満たない主として輸入材を用い、柱に開けた透孔に繋ぎ材を設け、この繋ぎ材を介して横架材を接合し金具やボルトで補強する工法が主流となっていた。しかし、係る従来工法においては、柱と横架材とを離間する引っ張り力や捩り力に対して弱く、柱と横架材は容易に離間ないし緊締力を失い家屋倒壊の一因であるとの問題があった。また、例えば、柱の相対応する面に貫通する透孔を形成しこの透孔に肘木の両端を突出させて挿通し、この肘木に梁の端部下面に形成された凹部を嵌挿せしめて接合する例がある（特許文献１参照）。
【先行技術文献】
【特許文献】
【０００３】
【特許文献１】実開昭５６−１００６０３号公報
【発明の概要】
【発明が解決しようとする課題】
【０００４】
しかし、前記の特許文献１に記載された木造軸組の接合構造は、繋ぎ部材である肘木が両側の梁（横架材）の全重量を負うこととなる。しかも、２個の肘木の交差部には垂直方向の切欠部が形成されており、この交差部が支点となり両端部に垂直方向の重力がかかるために交差部に応力が集中して破壊される可能性に問題があった。また、柱と２本の横架材を接合する場合には接合部を金具とボルトで補強する手段が講じられている。しかし、前述したとおり前記補強を講じたとしても東日本大地震級の激震に対して木造家屋の倒壊を防止することは極めて困難である。
【０００５】
本願発明者は長年の大工の棟梁としての経験を生かして大福柱木形組工法（だいふくばしらきなりくみこうほう）と称する木造軸組伝統工法を確立した。本願発明者は前記木造軸組伝統工法に基づく木造軸組における柱と横架材の接合構造について特許出願をし（特願２０１４−０２６７７７、以下「先出願」と称する）、特許を取得した（特許第５６５４６９９）。先出願に係る発明は、東日本大地震級の激震に対しても耐え得る程度の強度を有するものであるが、本願発明者は、さらなる研究と改良を積み重ねた結果、柱材は上階の荷重材軸方向に強い圧縮力をうけるため圧縮強度の高い部材を、また、横架材は材軸の垂直方向から荷重を受けるために曲げ強度の高い材料を選定することが望ましく、係る基本的な原理に叶うべく、従来の製材法では廃材として捨てられていた丸太原木の周辺部を含む木形製材法により丸太原木の形状に沿った木材を横架材として用いるのが好ましく、柱に形成した一方の貫穴を貫通する横架材は交差部に当たる部分に切欠部を形成し、該切欠部と貫穴との間隙部に他方の横架材を貫通させて両方の横架材が交差部において双方重なり合うように構成することによって強度が格段に向上することを知見して本発明に想到したものであって、本願発明の主たる目的は、前記問題点を解消し地震にも充分耐えられる安全で安心な建物に用いる木造軸組における柱と横架材の接合構造を提供することにある。
【課題を解決するための手段】
【０００６】
前記の課題を解決するために、本発明は、主柱と横架材の接合構造であって、前記主柱の反対向する面に渡って水平方向に貫通する上方と下方一対の貫穴の一部が直角方向に互いに交差してなり、前記上方と下方一対の貫穴に上方横架材と下方横架材をそれぞれ貫通させて前記柱に固定する木造軸組における柱と横架材の接合構造において、
前記横架材は上面が長手方向に水平をなし且つ下面が長手方向に傾斜してなり、下方の貫穴を貫通する下方横架材の水平面には上方の貫穴を貫通する上方横架材との交差部に当たる部分に切欠部を形成し、該下方横架材の切欠部と上方貫穴を貫通する間隙部に上方横架材を貫通させて上下の横架材が前記交差部において相互に係合するように構成されると共に上方横架材の傾斜面と下方横架材の切欠部との間ならびに下方横架材と下方貫穴との隙間に横架材の挿入方向と逆方向に逆止楔を打ち込んで上方及び下方の横架材を互いに柱に固定してなることを特徴とする木造軸組における柱と横架材の接合構造とする。
【０００７】
また、前記の課題を解決するために、本発明は、前記木造軸組における柱と横架材の接合構造において、前記上方横架材の傾斜面側から下方横架材の切欠部の底部に向けて開口する楔係止溝を上方横架材の傾斜面の勾配と逆勾配になるように設けると共に前記下方横架材の傾斜面から下方の貫穴の底部に向けて開口する楔係止溝を下方横架材の傾斜面の勾配と逆勾配になるように設けておき、前記楔係止溝の開口部から横架材の挿入方向と逆方向に逆止楔をそれぞれ打ち込んで上方及び下方の横架材を互いに柱に固定してなることを特徴とする前記の木造軸組における柱と横架材の接合構造とすることが好ましい。
【０００８】
また、前記の課題を解決するために、本発明は、前記横架材の傾斜面の水平方向に対する勾配が０．２〜５％であり、前記楔係止溝の上面の水平方向に対する勾配が２〜８％であって該両方の勾配は互いに逆勾配となることを特徴とする前記の木造軸組における柱と横架材の接合構造とすることが好ましい。
【０００９】
また、前記の課題を解決するために、本発明は、主柱と横架材の接合構造であって、前記主柱の反対向する面に渡って水平方向に貫通する下方の貫穴を横架材の縦方向の長さよりもやや大きく設け且つ上方と下方一対の貫穴の一部が直角方向に互いに交差してなり、前記上方と下方一対の貫穴に上方横架材と下方横架材をそれぞれ貫通させて前記柱に固定する木造軸組における柱と横架材の接合構造において、
前記横架材は上面が長手方向に水平をなし且つ下面が長手方向に傾斜してなり、下方の貫穴を貫通する下方横架材の水平面には上方の貫穴を貫通する上方横架材との交差部に当たる部分に切欠部を形成し、該下方横架材の切欠部と上方貫穴を貫通する間隙部に上方横架材を貫通させて上下の横架材が前記交差部において相互に係合するように構成され、前記下方の貫穴の底部に垂直に柱中ホゾを設けるとともに該貫穴に挿通される下方横架材下面の前記柱中ホゾに対応する箇所に設けられたホゾ穴に前記柱中ホゾを嵌合させると共に上方横架材の傾斜面と下方横架材の切欠部との間に上方横架材の挿入方向と逆方向に逆止楔を打ち込んで上方及び下方の横架材を互いに柱に固定してなることを特徴とする木造軸組における柱と横架材の接合構造とする。
【００１０】
また、前記の課題を解決するために、本発明は、前記木造軸組における柱と横架材の接合構造において、前記上方横架材の傾斜面側から下方横架材の切欠部の底部に向けて開口する楔係止溝を上方横架材の傾斜面の勾配と逆勾配になるように設けておき、前記楔係止溝の開口部から逆止楔を打ち込んで上方及び下方の横架材を互いに柱に固定してなることを特徴とする前記の木造軸組における柱と横架材の接合構造とすることが好ましい。
【００１１】
また、前記の課題を解決するために、本発明は、前記横架材の傾斜面の水平方向に対する勾配が０．２〜５％であり、前記楔係止溝の上面の水平方向に対する勾配が２〜８％であって該両方の勾配は互いに逆勾配となることを特徴とする前記の木造軸組における柱と横架材の接合構造とすることが好ましい。
【００１２】
また、前記の課題を解決するために、本発明は、主柱と横架材の接合構造であって、前記主柱の反対向する面に渡って水平方向に貫通する下方の貫穴を横架材の縦方向の長さよりもやや大きく設け且つ上方と下方一対の貫穴の一部が直角方向に互いに交差してなり、前記上方と下方一対の貫穴に上方横架材と下方横架材をそれぞれ貫通させて前記柱に固定する木造軸組における柱と横架材の接合構造において、
前記横架材は上面が長手方向に水平をなし且つ下面が長手方向に傾斜してなり、下方の貫穴を貫通する下方横架材の水平面には上方の貫穴を貫通する上方横架材との交差部に当たる部分に切欠部を形成し、該下方横架材の切欠部と上方貫穴を貫通する間隙部に上方横架材を貫通させて上下の横架材が前記交差部において相互に係合するように構成され、前記下方の貫穴の底部に垂直に柱中ホゾを設けるとともに該貫穴に挿通される下方横架材下面の前記柱中ホゾに対応する箇所に設けられたホゾ穴に前記柱中ホゾを嵌合させると共に上方横架材の下側の下方横架材との交差部に当たる部分に楔貫通穴を設け、該楔貫通穴と上方貫穴を貫通する間隙部に上方横架材の両側方向から一対の楔をそれぞれ楔貫通穴の中央部に向けて打ち込んで上方及び下方の横架材を互いに柱に固定してなることを特徴とする木造軸組における柱と横架材の接合構造とする。
【００１３】
また、前記の課題を解決するために、本発明は、前記柱中ホゾ及びホゾ穴は平面視にて多角形からなることを特徴とする前記の木造軸組における柱と横架材の接合構造とすることが好ましい。
【００１４】
また、前記の課題を解決するために、本発明は、主柱と横架材の接合構造であって、前記主柱の反対向する面に渡って水平方向に貫通する上方と下方一対の貫穴の一部が直角方向に互いに交差してなり、前記上方と下方一対の貫穴に上方横架材と下方横架材をそれぞれ貫通させて前記柱に固定する木造軸組における柱と横架材の接合構造において、
前記横架材は上面が長手方向に水平をなし且つ下面が長手方向に傾斜してなり、下方の貫穴を貫通する下方横架材の水平面には上方の貫穴を貫通する上方横架材との交差部に当たる部分に切欠部を形成し、下方横架材の切欠部と上方貫穴を貫通する間隙部に上方横架材を貫通させて上下の横架材が前記交差部において相互に係合するように構成され、前記上方の横架材と柱との交差部に横架材と柱に連通する入れ戻し穴を設け、前記入れ戻し穴に寄せ留部材を圧入して前記横架材と柱を固定してなることを特徴とする木造軸組における柱と横架材の接合構造とする。
【００１５】
また、前記の課題を解決するために、本発明は、前記主柱は截頭円錐形又は截頭角錐形に加工した木形加工材を建物の中央部に基礎から屋根まで貫き設けてなることを特徴とする前記の何れかに記載の木造軸組における柱と横架材の接合構造とすることが好ましい。
【発明の効果】
【００１６】
本願発明に係る木造軸組における柱と横架材の接合構造において、柱を下方側が太く上方に行くに従って細くなる立木加工材、截頭円錐形、截頭角錐形に加工した木材を根元側端部を下側にして木材を直立させ、前記横架材が前記長尺截頭四角錐状の木形木材における少なくとも何れか一測面が軸方向に対して斜めに形成されてなり、図１（３）右方に示す木形木材の強度を保持する原木の外周部を含め原木に沿うように側面を斜め製材することにより、従来の製材法（同図左方に示す）による直方体状の木材に比較して曲げ強度が向上する。また、下方の貫穴を貫通する横架材は上側面交差部に当たる部分に図１（２）１工程に示す切欠部９を形成しておき、この下方横架材３ａの切欠部９と上方貫穴との間隙部に上方の横架材３ｂを貫通させて両方の横架材が前記交差部において相互に係合するように構成されることから、柱を回転軸とする曲げモーメントが横架材に作用した場合でも回転が阻止され横架材による柱の損壊を防止できる効果を奏する。更に、上方横架材の傾斜面側から下方横架材の切欠部の底部に向けて開口する楔係止溝を上方横架材の傾斜面の勾配と逆勾配になるように設けて該楔係止溝の開口部から逆止楔を打ち込むことにより上方及び下方の横架材をより堅固に柱に固定することが可能となる。また、柱中ホゾを下方横架材下面に設けられたホゾ穴に嵌合させる構造を併用させることによって柱を回転軸とする曲げモーメントによる回転をより強固に阻止することが可能となる。
【図面の簡単な説明】
【００１７】
【図１】（１）は本願実施の形態に係る二階建ての使用例の説明図であり、（２）は本願実施の形態に係る施工手順の説明図であり、（３）は従来の製材法と実施例に用いる長尺截頭四角錐状からなる木形（きなり）木材の製材法の比較説明図である。
【図２】本願実施の形態に係る柱と横架材の接合構造の説明図である。
【図３】本願実施の形態に係る三階建ての使用例の説明図である。
【図４】本願実施の形態に係る五階建ての使用例の説明図である。
【図５】本願実施の形態に係る柱と横架材の接合構造の説明図である。
【図６】（１）は図５（１）のＡ−Ａ線縦断面図であり、（２）は同図のＢ−Ｂ線            縦断面図である。
【図７】本願実施の形態に係る柱と横架材の接合構造の説明図である。
【図８】（１）は図７（１）のＡ−Ａ線縦断面図であり、（２）は同図のＢ−Ｂ線            縦断面図である。
【図９】本願実施の形態に係る柱と横架材の接合構造の説明図である。
【図１０】（１）は図９（１）のＡ−Ａ線縦断面図であり、（２）は同図のＢ−Ｂ線             縦断面図である。
【発明を実施するための形態】
【００１８】
本願実施の形態において、建物の中央等に例えば直径４０〜５０ｃｍ程度の主柱を基礎から屋根まで貫き、その主柱の貫穴に横架材を貫挿させて支える構造となっており、特に限定されるものではないが、主柱の長さに応じて平屋建てをはじめ二階建てから五階建ての建物に充分に対応が可能である（図１（１）、図３、図４参照）。図１（１）の破線で囲んだ部分が本願実施の形態に係る接合構造部である。ここで、図４に示すように主柱を建物の中央寄りに２本、奥行き方向に図示しない複数本設け、更に最上階に屋上を設けてもよい。この主柱は図１（１）に示すように下方側が太く上方に行くに従って細くなる立木加工材、截頭円錐形や截頭角錐形に加工したものを含み、強度を保持するかぎり立木加工材には原木丸太状のものが含まれると共に直方体状の木材も含まれる。また、木造軸組の接合構造の加工は熟練を要することなく基礎的な技術があれば簡単にできることから若い技能者の育成にも役立つものである。更に、実施の形態の柱と横架材の接合構造は前述のとおり地震の揺れに充分に耐えうる強度を有することからシェルター等の地震避難用の空間を確保する手段として応用が可能である。使用する木材も特に限定はなく例えば千葉県の山武杉のように全国の木材を地産地消に有効利用することが望ましい。これらの主柱や横架材の加工は、ノミ或いはチェーンソーなどで加工してもよい。よって、先出願に係る発明のように横架材と貫穴の隙間に楔を打ち込む手間が省けるだけでなく、組み立て作業がより簡単であり、且つ強度も向上する。
【００１９】
次に、本願実施の形態について説明する。請求項１記載の発明を含む本願実施の形態に係る柱と横架材の接合構造１は、図５及び図６に示すように、前記主柱２の反対向する面に渡って水平方向に貫通する上方と下方一対の貫穴（５ｂ，５ａ）の一部が直角方向に互いに交差してなり、前記上方と下方一対の貫穴に上方横架材と下方横架材をそれぞれ貫通させて前記柱に固定する木造軸組における柱と横架材の接合構造において、対向する左右二面が長手方向に対して互いに平行に形成され、下面が長手方向に対して木形方向、つまり立木の木形面の如く斜めに形成され、上面が長手方向に対して水平に形成されてなり、前記横架材は平行に対向する左右面を前記貫穴の側面に向け、且つ下方の貫穴を貫通する下方横架材３ａは上面交差部に当たる部分に、上方横架材３ｂを貫通する凹状切欠部９を、上方横架材３ｂの下面と同勾配を有して形成し、この下方横架材の凹状切欠部９と上方貫穴５ｂとの間隙部に上方横架材３ｂを貫通させて両方の横架材が前記交差部において相互に係合し、上方横架材の傾斜面と下方横架材の切欠部との間ならびに下方横架材と下方貫穴との間に設けた隙間（図示せず）に横架材の挿入方向と逆方向に逆止楔を打ち込んで上方及び下方の横架材を互いに柱に固定してなるように構成される。
【００２０】
更に、上方横架材３ｂの傾斜面側から下方横架材３ａの凹状切欠部９の底部に向けて開口する楔係止溝４１ｂを上方横架材の傾斜面の勾配と逆勾配になるように設けておき、該楔係止溝４１ｂの開口部４２ｂから逆止楔４３ｂを打ち込んで上方横架材３ｂ及び下方横架材３ａを互いに主柱２に固定してなることを特徴とする。主柱２に形成する貫穴は、柱の強度を損なわない程度の大きさに形成することが好ましい。特に限定するものではないが、主柱２の貫穴形成箇所の断面における貫穴以外の残存面積が通常の管柱と同程度以上の面積を保持することが好ましい。また、楔上部面積が横架材の柱設置面の約５０％前後になるように設定することが好ましい。楔の使用材種は柱や横架材等の接合部材よりも堅い材種が好ましく、通常、堅木と称される、例えば、樫、楢、ブナ、欅、黒檀、紫檀、櫻、南洋櫻等が用いられる。
【００２１】
請求項２記載の発明を含む本願実施の形態に係る柱と横架材の接合構造１は、前記下方横架材３ａの傾斜面から下方貫穴５ａの底部に向けて開口する楔係止溝４１ａを下方横架材３ａの傾斜面の勾配と逆勾配になるように設けておき、前記楔係止溝４１ａの開口部４２ａから逆止楔４３ａを打ち込んで上方横架材３ｂ及び下方横架材３ａを互いに柱に固定してなることを特徴とする。前記横架材３は丸太原木の周辺部を含む木形製材法により丸太原木の形状に沿った前記截頭四角錐状の木形木材（図１（３）右方に示す）の如く下面が長手方向に対して木形方向、つまり立木の木形面の如く斜めに形成され、これに対して上面が長手方向に対して平行に形成される。
【００２２】
請求項３記載の発明を含む本願実施の形態に係る柱と横架材の接合構造１は、前記横架材３の傾斜面の水平方向に対する勾配が０．２〜５％好ましくは０．５〜３％とし、前記楔係止溝の上面の水平方向に対する勾配が２〜８％好ましくは３〜６％として、該両方の勾配は互いに逆勾配とすることが好ましい。前記傾斜面の勾配からなる木形製材法により得られる木材は高強度を保有することによる。また、前記楔係止溝４１の勾配を横架材の傾斜面と逆勾配とすることによって横架材３をより抜け難くする。
【００２３】
請求項４記載の発明を含む本願実施の形態においては、前記逆止楔４３ａを打ち込んで上方横架材３ｂと下方横架材３ａを柱に固定する構成に代えて、図７及び図８に示すように、柱中ホゾ６とホゾ穴７を設けるとともに下方の貫穴を下方横架材３ａの縦方向の長さよりも柱中ホゾ６の高さ分やや大きく設け、下方横架材３ａを柱２に固定する以外は前記請求項１記載の発明と同様である。このように柱中ホゾ６とホゾ穴７を嵌合させて固定する構成を併用することによって柱を回転軸とする曲げモーメントによる回転をより強固に阻止することが可能となる。また、請求項６記載の発明を含む本願実施の形態においては、前記楔係止溝４１に代えて、上方横架材３ｂの下側の下方横架材３ａとの交差部に当たる部分に楔貫通穴４５を設け、該楔貫通穴４５と上方貫穴５ｂを貫通する間隙部に上方横架材３ｂの両側方向から一対の楔（４４ａ，４４ｂ）をそれぞれ楔貫通穴４５の中央部に向けて打ち込むことによって上方及び下方の横架材を互いに柱に強固に固定できる。
【００２４】
請求項９記載の発明を含む本願実施の形態においては、図２に示すように、上方横架材が柱の貫穴に貫通した状態で上方横架材の先細側と主柱との交差部に前記横架材と柱に連通する入れ戻し穴１１を設け、前記入れ戻し穴１１に寄せ留部材１２を圧入するとともに前記寄せ留部材を接着剤ないしビス止めなどで柱に固定することによって横架材は柱に強固に固着され、横架材の抜けを完全に防止できる。前記寄せ留部材１２の材質は特に限定されないが堅め木材が好ましく、例えば、前記楔と同様の材種の他に収縮性の極小な構造材料等樹脂製部材や金属部材等でもよい。更に、横架材の下方側に挿入限界段差１３を設けて寄せ留部材と共に横架材の移動を阻止するように構成してもよい。
【００２５】
次に、本願実施の形態に係る木造軸組の柱と横架材の接合施工手順について説明する。
（１）請求項１〜３を含む発明の場合、（図１（２）、図５、６参照）に示すとおり、
施工手順は以下の通りである。
主柱２を基礎天上に束石を添えてその上に設置する。施工はクレーンで材料をつり上げて行う（以下同様）。
第１工程：イ）主柱２を立てる。ロ）桁３ａを柱の貫穴に挿通し挿入限界線４６まで打ち              込む。
第２工程：イ）梁３ｂを柱の貫穴に挿通し挿入限界線４６まで打ち込む。
第３工程：イ）楔係止溝（４１ｂ，４１ａ）に逆止楔（４３ｂ，４３ａ）を打ち込んで固定する。
【００２６】
（２）請求項４、７、８を含む発明の場合（図７、８参照）、
施工手順は以下の通りである。
第１工程：イ）主柱２を立てる。ロ）桁３ａを柱の貫穴５ａに挿通し挿入限界線４６まで              打ち込む。ハ）柱中ホゾ６を桁３ａのホゾ穴７に入れる。
第２工程：イ）梁３ｂを柱の貫穴５ｂに挿通し挿入限界線４６まで打ち込む。
第３工程：イ）貫穴５ａ及び梁３ｂの楔貫通穴４５に両側から一対の楔（４４ａ，
４４ｂ）をそれぞれ打ち込んで固定する。
【００２７】
（３）請求項４、５、６、８を含む発明の場合（図９、図１０参照）、
施工手順は以下の通りである。
第１工程：イ）主柱２を立てる。ロ）桁３ａを柱の貫穴５ａに挿通し挿入限界線４６まで              打ち込む。ハ）柱中ホゾ６を桁３ａのホゾ穴７に入れる。
第２工程：イ）梁３ｂを柱の貫穴５ｂに挿通し挿入限界線４６まで打ち込む。
第３工程：イ）楔係止溝４１ｂに逆止楔４３ｂを打ち込んで固定する。
【００２８】
（４）請求項９記載を含む発明の場合（図１（２）、図２参照）、
施工手順は以下の通りである。
第１工程：イ）主柱２を立てる。ロ）桁３ａを柱の貫穴に挿通し挿入限界線まで打ち込む。
第２工程：イ）梁３ｂを柱の貫穴に挿通し挿入限界線まで打ち込む。
第３工程：イ）入れ戻し穴１１に寄せ留部材１２を圧入する。ロ）寄せ留部材を接着剤な            いしビス止めして柱に固定する。
【実施例】
【００２９】
次に、本願実施の形態に係る木造軸組の接合構造について図に基づいて説明する。図１（１）は本願実施の形態に係る二階建ての使用例の説明図であり、主柱２は図１（３）右方に示す本工法の製材法により原木丸太状及び原木丸太を斜めないし直方体状に製材した立木加工材、截頭角錐状ないし截頭円錐状等に加工した木形（きなり）木材を根元側端部を下側にして土台に直立させてなり、この主柱２の天井と二階に相当する箇所に互いに交差する上方及び下方の貫穴（５ｂ，５ａ）を形成し、該貫穴に上方横架材の梁３ｂと下方横架材の桁（図示せず）をそれぞれ貫通させ、本願実施の形態に係る接合構造により柱と横架材を接続してなる。ここで、天井と二階の横架材の梁（３ｂ，３ｂ）は根元部と先端部をそれぞれ左右互い違に組み合わせることにより、地震発生時に横架材が柱から抜け難く且つ加わる応力負荷のバランスをとり得るように工夫されている。図１（２）は本願実施の形態に係る横架材の施工手順の説明図であり、１工程と２工程に示す横架材は截頭四角錐状の木形木材における垂直方向の対向する二側面が長手方向に対して互いに平行に形成され、他の二側面のうちの下面が長手方向に対して斜めに勾配を有して形成され残りの上面が長手方向に対して水平に形成されている。そして、長手方向に平行な面を上側に向け勾配面を下側に向けて設けることにより、横架材の水平面上に天井ないし床材を水平に配設し得る。横架材の施工手順は最初に下方横架材３ａを圧挿させた後、下方横架材の凹状切欠部９と上方貫穴５ｂとの間隙部に上方横架材３ｂを圧挿させて柱に固定する。なお、本願出願人は本願発明に係る木造軸組のミニチュア模型を作成しており地震等の揺れに対しても耐久性を有するものと判断される。
【産業上の利用可能性】
【００３０】
本願発明に係る木造軸組における柱と横架材の接合構造によれば地震にも充分耐えられる安全で安心な建物をリーズナブルな価格で提供でき、且つ国産の材木を使用することにより全国の林業並びに建築業の活性化にも大いに貢献する。
【符号の説明】
【００３１】
１：柱と横架材の接合構造
２：主柱
３：横架材
３ａ：桁（下方横架材）
３ｂ：梁（上方横架材）
４１ａ：楔係止溝（下方横架材）
４１ｂ：楔係止溝（上方横架材）
４２ａ：開口部（下方横架材）
４２ｂ：開口部（上方横架材）
４３ａ：逆止楔（下方横架材）
４３ｂ：逆止楔（上方横架材）
４４ａ，４４ｂ：一対の楔
４５：楔貫通穴
４６：挿入限界線
５：貫穴
５ａ：下方貫穴
５ｂ：上方貫穴
６：柱中ホゾ
７：ホゾ穴
９：凹状の切欠部
１１：入れ戻し穴
１２：寄せ留部材
１３：段差
１４：ビス
【図１】
0005933806.tif 000002
【図２】
0005933806.tif 000003
【図３】
0005933806.tif 000004
【図４】
0005933806.tif 000005
【図５】
0005933806.tif 000006
【図６】
0005933806.tif 000007
【図７】
0005933806.tif 000008
【図８】
0005933806.tif 000009
【図９】
0005933806.tif 000010
【図１０】
0005933806.tif 000011